(57)【要約】【課題】集塵室蓋の開閉において使用性の高い電気掃除機を提供することを目的とする。【解決手段】塵埃を吸引するファンモータ２と、吸引した塵埃を捕集する集塵室３と、前記集塵室３を覆い回動自在な集塵室蓋５と、前記ファンモータ２を内蔵した本体１と、前記本体１の走行手段で回動自在なローラ４とを備え、前記集塵室蓋５の回動中心は、前記ローラ４の回動中心と同一であるとともに、前記集塵室３を前記集塵室蓋５にて覆ったとき、前記集塵室蓋５の前方先端部は、前記集塵室蓋５の回動中心より上方に位置する構成としたもので、前記集塵室蓋５が閉まる直前では、前記集塵室蓋５にあまり勢いをつけないようにすることができることで、衝撃が前記本体１にかかるという問題を解消でき、前記集塵室蓋５の開閉において使用性の高い電気掃除機を提供できる。【選択図】図１
2005144027.tif 000002
【特許請求の範囲】
【請求項１】
塵埃を吸引するファンモータと、吸引した塵埃を捕集する集塵室と、前記集塵室を覆い回動自在な集塵室蓋と、前記ファンモータを内蔵した本体と、前記本体の走行手段で回動自在なローラとを備え、前記集塵室蓋の回動中心は、前記ローラの回動中心と同一であるとともに、前記集塵室を前記集塵室蓋にて覆ったとき、前記集塵室蓋の前方先端部は、前記集塵室蓋の回動中心より上方に位置する構成とした電気掃除機。
【請求項２】
ローラと集塵室蓋は、本体に固定された同一の軸部を中心に回動する構成とした請求項１記載の電気掃除機。
【請求項３】
集塵室蓋は、その前方先端部が集塵室の後方まで、回動可能な構成とした請求項１または２記載の電気掃除機。
【請求項４】
集塵室蓋を回動させ、集塵室を開放状態としたとき、前記集塵室蓋は本体の略後方部を覆う位置で保持可能に構成した請求項３記載の電気掃除機。
【請求項５】
集塵室蓋を回動させ、集塵室を開放状態としたとき、前記集塵室蓋の一部を床面に接触させる構成とした請求項３記載の電気掃除機。
【請求項６】
集塵室蓋に軟質部材を設け、前記軟質部材にて床面に接触させる構成とした請求項５記載の電気掃除機。
【請求項７】
床面に対し接触する略平行面部を集塵室蓋に形成した請求項５記載の電気掃除機。
【請求項８】
床面に対し接触する凸部を集塵室蓋に形成した請求項５記載の電気掃除機。
【請求項９】
凸部を床面に接触させた際に、ローラを床面から浮かせる構成とした請求項８記載の電気掃除機。
【請求項１０】
集塵室蓋を回動させ、集塵室を開放状態としたとき、前記集塵室蓋の保持を行う保持部を軸部に形成した請求項２記載の電気掃除機。
【請求項１１】
保持部は、ローラの回転を抑制させる機能も有する請求項１０記載の電気掃除機。
【発明の詳細な説明】
【技術分野】
【０００１】
本発明は一般家庭で使用される電気掃除機に関するもので、特に集塵部の使用性の向上に関するものである。
【背景技術】
【０００２】
従来の電気掃除機を、以下に説明する。
【０００３】
図１４に示す電気掃除機は、塵埃を吸引するためのファンモータ１２と、塵埃を吸引する吸込み具に連通し、塵埃を捕集するための集塵室１３と、後方下部に移動用のローラ１４を内蔵した本体１５と、前記集塵室１３を覆うための集塵室蓋１６から構成されている（例えば、特許文献１参照）。
【０００４】
また、図１５に示す電気掃除機は、塵埃を吸引する吸込み具に連通し、塵埃を捕集するための集塵室１３と、後方下部に移動用のローラ１４を内蔵した本体１５と、塵埃を吸引するためのファンモータ１２を内蔵した、前記集塵室１３を覆うための集塵室蓋１６から構成されており、前記集塵室蓋１６は前記ローラ１４軸を中心に回動自在である。
【０００５】
そして上記電気掃除機を運転すると、吸込み具より吸引された塵埃が前記集塵室１３内部に蓄積される。前記集塵室蓋１６を開けることにより前記集塵室１３内部の塵埃を捨てることができる（例えば、特許文献２参照）。
【特許文献１】特開平１−３１４５２９号公報
【特許文献２】特開平２−２６５２３号公報
【発明の開示】
【発明が解決しようとする課題】
【０００６】
しかしながら上記従来の電気掃除機の構成では、図１４に示すように、前記集塵室蓋１６の回動中心が前記本体１５の略上部に位置しているため、集塵袋の交換の際などで前記集塵室蓋１６を開けた後、集塵袋を取り替えようとしている間に、前記集塵室蓋１６に触れることにより、また、前記集塵室蓋１６にとりつけられた塵埃吸引用ホースの重み等により前記集塵室蓋１６が急に閉じてしまうことがあった。その際は前記集塵室蓋１６の回動中心は前記本体１５の略上部にあり、前記集塵室蓋１６が閉まる際の前記集塵室蓋１６の先端は回動中心の高さより低く位置していることが多いため、前記集塵室蓋１６が閉まる直前では前記集塵室蓋１６にかなりの勢いがついた状態になり、かなりの衝撃が前記本体１５にかかるという問題があった。
【０００７】
また、図１５に示すように、前記集塵室蓋１６が前記ローラ１４の中心で回動し、前記集塵室蓋１６が閉まる際の前記集塵室蓋１６の先端が回動中心の高さより高い位置に、位置しているものもあるが、前記集塵室蓋１６に前記ファンモータ１２を内蔵しているため、その重量が加算されるため、前記集塵室蓋１６が閉まる直前では前記集塵室蓋１６にかなりの勢いがついた状態になり、これもかなりの衝撃が前記本体１５にかかるという問題があった。
【０００８】
本発明は上記課題を解決するもので、集塵室蓋の開閉において使用性の高い電気掃除機を提供することを目的とする。
【課題を解決するための手段】
【０００９】
上記課題を解決するために本発明は、塵埃を吸引するファンモータと、吸引した塵埃を捕集する集塵室と、前記集塵室を覆い回動自在な集塵室蓋と、前記ファンモータを内蔵した本体と、前記本体の走行手段で回動自在なローラとを備え、前記集塵室蓋の回動中心は、前記ローラの回動中心と同一であるとともに、前記集塵室を前記集塵室蓋にて覆ったとき、前記集塵室蓋の前方先端部は、前記集塵室蓋の回動中心より上方に位置する構成としたもので、重量の小さい前記集塵室蓋が閉まる際、前記集塵室蓋の先端が回動中心より高い位置に位置しているため、前記集塵室蓋が閉まる直前では、前記集塵室蓋にあまり勢いをつけないようにすることができることで、衝撃が前記本体にかかるという問題を解消でき、前記集塵室蓋の開閉において使用性の高い電気掃除機を提供できる。
【発明の効果】
【００１０】
本発明によれば、集塵室蓋の開閉において使用性の高い電気掃除機を提供できる。
【発明を実施するための最良の形態】
【００１１】
第１の発明は、塵埃を吸引するためのファンモータと、塵埃を吸引するファンモータと、吸引した塵埃を捕集する集塵室と、前記集塵室を覆い回動自在な集塵室蓋と、前記ファンモータを内蔵した本体と、前記本体の走行手段で回動自在なローラとを備え、前記集塵室蓋の回動中心は、前記ローラの回動中心と同一であるとともに、前記集塵室を前記集塵室蓋にて覆ったとき、前記集塵室蓋の前方先端部は、前記集塵室蓋の回動中心より上方に位置する構成としたもので、重量の小さい前記集塵室蓋が閉まる際、前記集塵室蓋の先端が回動中心より高い位置に位置しているため、前記集塵室蓋が閉まる直前では、前記集塵室蓋にあまり勢いをつけないようにすることができることで、衝撃が前記本体にかかるという問題を解消でき、前記集塵室蓋の開閉において使用性の高い電気掃除機を提供できる。
【００１２】
第２の発明は、ローラと集塵室蓋は、本体に固定された同一の軸部を中心に回動する構成としたもので、複雑な構成を必要とせず、構成の簡素化を図ることができる。
【００１３】
第３の発明は、集塵室蓋は、その前方先端部が集塵室の後方まで、回動可能な構成としたもので、集塵袋の交換時等に、前記集塵室蓋が接触して動作を妨げるといった煩わしさを軽減できる。
【００１４】
第４の発明は、集塵室蓋を回動させ、集塵室を開放状態としたとき、前記集塵室蓋は本体の略後方部を覆う位置で保持可能に構成したもので、前記集塵室蓋を開けて集塵袋を交換する際に、前記本体後部に配設された本体スイッチ操作部や電源コードリール操作部等を前記集塵室蓋が覆い隠すため、これらの操作を防止することができ、安全性の高い電気掃除機を提供することができる。
【００１５】
第５の発明は、集塵室蓋を回動させ、集塵室を開放状態としたとき、前記集塵室蓋の一部を床面に接触させる構成としたもので、前記集塵室蓋が床面に接触する部分まで回動させることにより、特に保持するための複雑な構成は必要なく、前記集塵室蓋の保持ができるため、構成の簡素化を図ることができる。
【００１６】
第６の発明は、集塵室蓋に軟質部材を設け、前記軟質部材にて床面に接触させる構成としたもので、前記集塵室蓋を回動させて床面にぶつけた際には、前記緩衝材が衝撃を緩和させるため、前記集塵室蓋の破損を防止でき、信頼性の高い電気掃除機を提供することができる。
【００１７】
第７の発明は、床面に対し接触する略平行面部を集塵室蓋に形成したもので、前記集塵室蓋を回動させて床面にぶつけた際には、床面に対し前記略平行面が当たるため、衝撃を面全体に分散させることにより、前記集塵室蓋の破損を防止でき、信頼性の高い電気掃除機を提供することができる。
【００１８】
第８の発明は、床面に対し接触する凸部を集塵室蓋に形成したもので、前記集塵室蓋を回動させたときに、前記集塵室蓋が床面に勢いよく当たる前に前記凸部が床面に接触し、前記集塵室蓋の回動を止めるため、前記集塵室蓋の破損を防止でき、信頼性の高い電気掃除機を提供することができる。
【００１９】
第９の発明は、凸部を床面に接触させた際に、ローラを床面から浮かせる構成としたもので、集塵袋の交換などで前記集塵室蓋を開けた時に、前記本体が移動して、動作を妨げるといったことが防止できるため、使用性に優れた電気掃除機を提供することができる。
【００２０】
第１０の発明は、集塵室蓋を回動させ、集塵室を開放状態としたとき、前記集塵室蓋の保持を行う保持部を軸部に形成したもので、外観に突起等を設ける必要がなくなるため、デザイン性を改善できると共に、回動時の前記集塵室蓋の破損を防止でき、信頼性の高い電気掃除機を提供することができる。
【００２１】
第１１の発明は、保持部は、ローラの回転を抑制させる機能も有するもので、集塵袋の交換などで前記集塵室蓋を開けた時に前記本体が移動して、動作を妨げるといったことが防止できるため、使用性に優れた電気掃除機を提供することができる。
【００２２】
以下、本発明の実施の形態について、図面を参照にしながら説明する。なお、この実施の形態によりこの発明が限定されるものではない。
【００２３】
（実施の形態１）
本発明の第１の実施の形態について図１〜図６を用いて説明する。
【００２４】
図１において、本体１は塵埃を吸引するためのファンモータ２と、塵埃を吸引する吸込み具に連通し、塵埃を捕集するための集塵室３を内蔵しており、後方下部に前記本体１の走行手段である移動用のローラ４を有している。前記集塵室３を覆う集塵室蓋５は、前記ローラ４の回動中心と同一の中心で回動する構成である。
【００２５】
また、図３〜図５において、６は前記集塵室蓋５を回動させたときに前記集塵室蓋５が床面に接触する位置に設けられた衝撃吸収用の緩衝材であり、７は前記集塵室蓋５を回動させたときに前記集塵室蓋５が床面に接触する位置に設けられた略平行面である。また、８は前記集塵室蓋５の回動軸近傍に設けられて、前記集塵室蓋５を回動させたときに床面に接触させて前記集塵室蓋５を保持させるための凸部で、凸部８を床面に接触させた際に、ローラ４を床面から浮かせる構成としたものであり、９は前記集塵室蓋５と前記ローラ４を外側から軸部９ａに固定させるためのローラキャップである。
【００２６】
以上のように構成された電気掃除機について、その動作、作用を説明する。
【００２７】
まず、電気掃除機を運転すると、前記本体１内部の前記ファンモータ２より吸込み具（図示せず）から吸引された塵埃が、前記集塵室３内部に蓄積される。そして前記ローラ４は軸部９ａを中心に回動自在であり、前記ローラキャップ９により、前記ローラ４とともに前記軸部９ａが回動中心となるように、前記ローラ４より所定の隙間を形成して取付けられた前記集塵室蓋５を上方に開けることにより、前記集塵室３内部の塵埃を捨てることができる。
【００２８】
この際には、前記集塵室蓋５が前記ローラ４の回動中心と同一の中心で回動する構成であり、重量の小さい前記集塵室蓋５が閉まる際、前記集塵室蓋５の先端が、前記集塵室蓋５の回動中心より高い位置しているため、前記集塵室蓋５が閉まる直前では、前記集塵室蓋５にあまり勢いをつけないようにすることができる。
【００２９】
以上のように本実施の形態においては、前記集塵室蓋５を前記ローラ４の回転軸と同一の軸で回動する構成とすることにより、前記集塵室蓋５と前記本体１の間で指を挟んだ際でも、そのダメージを抑えることにより、怪我に発展することを防止でき、使用性および安全性の高い電気掃除機を提供することができる。
【００３０】
また、図６のように、集塵室蓋５を回動させ、集塵室３を開放状態としたとき、前記集塵室蓋５は本体１の略後方部を覆う位置で保持可能に構成することで、前記集塵室蓋５を開けた際に、前記本体１後部に配設された本体スイッチ操作部（図示せず）や電源コードリール操作部（図示せず）等を前記集塵室蓋５が覆い隠すため、これらの操作を防止することができ、安全性の高い電気掃除機を提供することもできる。
【００３１】
（実施の形態２）
本発明の第２の実施の形態について図７〜図１３を用いて説明する。なお、上記実施の形態と同一部分については同一符号を付してその説明を省略する。
【００３２】
集塵室蓋５の回動部近傍に設けられた１０は、前記集塵室蓋５の回動部近傍に設けられた集塵室蓋突起、１１は前記ローラキャップ９内面の前記集塵室蓋突起１０に接触可能な位置に設けられたローラキャップ突起であり、前記集塵室蓋５が回動した際に前記集塵室蓋突起１０が前記ローラキャップ突起１１に接触し、保持させることにより前記集塵室蓋５の回動を固定させることができる。また、図１３のように同時に前記集塵室蓋突起１０が前記ローラキャップ突起１１により内側に押されて、前記ローラ４を圧接させることにより前記ローラ４の回転を抑制させることができるものである。
【００３３】
以上のように本実施の形態においては、前記ローラキャップ９により前記集塵室蓋５を回動した時の前記集塵室蓋５の保持を行う構成により、外観に突起等を設ける必要がなくなるため、デザイン性を改善できると共に、回動時の前記集塵室蓋５の破損を防止でき、信頼性の高い電気掃除機を提供することができる。
【００３４】
また、前記集塵室蓋５を回動した時に前記ローラ４の回転を抑制させる構成により、集塵袋の交換などで前記集塵室蓋５を開けた時に前記本体が移動して、動作を妨げるといったことが防止できる。
【産業上の利用可能性】
【００３５】
以上のように、本発明は、集塵蓋を備えた電気掃除機の使用性を向上するのに有用なものである。
【図面の簡単な説明】
【００３６】
【図１】本発明の実施の形態１を示す電気掃除機の斜視図（集塵蓋閉時）
【図２】同電気掃除機の斜視図（集塵蓋開時）
【図３】同電気掃除機の斜視図（他の構成における集塵蓋開時）
【図４】同電気掃除機の斜視図（他の構成における集塵蓋開時）
【図５】同電気掃除機の斜視図（他の構成における集塵蓋開時）
【図６】同電気掃除機の斜視図（他の構成における集塵蓋開時）
【図７】本発明の実施の形態２を示す電気掃除機のローラ近傍の断面図
【図８】同電気掃除機の集塵室蓋の斜視図
【図９】図８のＡ−Ａ断面図
【図１０】同電気掃除機のローラキャップの斜視図
【図１１】図１０のＢ−Ｂ断面図
【図１２】同電気掃除機の斜視図（集塵蓋開時）
【図１３】同電気掃除機のローラ近傍の断面図
【図１４】従来の電気掃除機の断面図
【図１５】同他の電気掃除機の斜視図
【符号の説明】
【００３７】
１  本体
２  ファンモータ
３  集塵室
４  ローラ
５  集塵室蓋
【図１】
2005144027.tif 000003
【図２】
2005144027.tif 000004
【図３】
2005144027.tif 000005
【図４】
2005144027.tif 000006
【図５】
2005144027.tif 000007
【図６】
2005144027.tif 000008
【図７】
2005144027.tif 000009
【図８】
2005144027.tif 000010
【図９】
2005144027.tif 000011
【図１０】
2005144027.tif 000012
【図１１】
2005144027.tif 000013
【図１２】
2005144027.tif 000014
【図１３】
2005144027.tif 000015
【図１４】
2005144027.tif 000016
【図１５】
2005144027.tif 000017